(57)【要約】【課題】絶縁体上（三脚装着状態・非手持ち状態）で装置の筐体を手で持たずにタッチパネルをタッチ操作する場合の未検知や外部機器接続状態・本体バッテリー充電状態・レンズ鏡筒駆動状態でタッチパネルをタッチ操作する場合、誤動作を軽減する撮像装置を提供すること。【解決手段】表示領域上におけるタッチ位置座標を静電容量結合方式にて検出する静電容量タッチパネルを備える表示装置において、三脚に設置されているかを検出する三脚設置検出手段と前記タッチパネルへのタッチ操作の検出の感度を変更するタッチ操作検出感度変更手段を有し、前記三脚設置検出手段で三脚設置を検出すると、前記タッチ操作検出感度変更手段の検出感度を上げる。【選択図】図３
2017147480.tif 000002
【特許請求の範囲】
【請求項１】
表示領域上におけるタッチ位置座標を静電容量結合方式にて検出する静電容量タッチパネルを備える表示装置において、三脚に設置されているかを検出する三脚設置検出手段と前記タッチパネルへのタッチ操作の検出の感度を変更するタッチ操作検出感度変更手段を有し、前記三脚設置検出手段で三脚設置を検出すると、前記タッチ操作検出感度変更手段の検出感度を上げることを特徴とする撮像装置。
【請求項２】
表示領域上におけるタッチ位置座標を静電容量結合方式にて検出する静電容量タッチパネルを備える表示装置において、三脚に設置されているかを検出する三脚設置検出手段と前記タッチパネルへのタッチ操作の検出を行うタッチ操作検出手段と前記タッチ操作検出手段の検出閾値を変更するタッチ操作検出閾値変更手段を有し、前記三脚設置検出手段で三脚設置を検出すると、前記タッチ操作検出閾値変更手段の検出閾値を下げることを特徴とする撮像装置。
【請求項３】
前記三脚設置検出手段は、振動を検出する振動検出手段を有し、前記振動検出手段で振動が検出されない場合、前記三脚設置検出手段にて三脚設置状態と判断することを特徴とする請求項１又は請求項２に記載の撮像装置。
【請求項４】
表示領域上におけるタッチ位置座標を静電容量結合方式にて検出する静電容量タッチパネルを備える表示装置において、本体を手持ちか否か検出する本体手持ち状態検出手段と前記タッチパネルへのタッチ操作の検出の感度を変更するタッチ操作検出感度変更手段を有し、前記手持ち状態検出手段で本体を手持ち状態と検出すると、前記タッチ操作検出感度変更手段の検出感度を上げることを特徴とする撮像装置。
【請求項５】
表示領域上におけるタッチ位置座標を静電容量結合方式にて検出する静電容量タッチパネルを備える表示装置において、本体を手持ちか否か検出する本体手持ち状態検出手段と前記タッチパネルへのタッチ操作の検出を行うタッチ操作検出手段と前記タッチ操作検出手段の検出閾値を変更するタッチ操作検出閾値変更手段を有し、前記手持ち状態検出手段で本体を手持ち状態と検出すると、前記タッチ操作検出閾値変更手段の検出閾値を下げることを特徴とする撮像装置。
【請求項６】
本体手持ち状態検出手段は、振動を検出する振動検出手段を有し、前記振動検出手段で振動が検出されない場合、前記本体手持ち状態検出手段にて本体を手持ち状態と判断することを特徴とする請求項４又は請求項５に記載の撮像装置。
【請求項７】
表示領域上におけるタッチ位置座標を静電容量結合方式にて検出する静電容量タッチパネルを備える表示装置において、外部機器接続を検出する外部機器接続検出手段と本体内に装着されたバッテリーに対して充電中かを検出するバッテリー充電検出手段とレンズ鏡筒を駆動中か否かを検出するレンズ鏡筒駆動検出手段と前記タッチパネルへのタッチ操作の検出の感度を変更するタッチ操作検出感度変更手段を有し、前記外部機器接続検出手段で外部機器接続を検出・前記バッテリー充電検出手段でバッテリー充電状態を検出・前記レンズ鏡筒駆動検出手段でレンズ鏡筒駆動状態のいずれかを検出すると、前記タッチ操作検出感度変更手段の検出感度を下げることを特徴とする撮像装置。
【請求項８】
表示領域上におけるタッチ位置座標を静電容量結合方式にて検出する静電容量タッチパネルを備える表示装置において、外部機器接続を検出する外部機器接続検出手段と本体内に装着されたバッテリーに対して充電中かを検出するバッテリー充電検出手段とレンズ鏡筒を駆動中か否かを検出するレンズ鏡筒駆動検出手段と前記タッチパネルへのタッチ操作の検出を行うタッチ操作検出手段と前記タッチ操作検出手段の検出閾値を変更するタッチ操作検出閾値変更手段を有し、前記外部機器接続検出手段で外部機器接続を検出・前記バッテリー充電検出手段でバッテリー充電状態を検出・前記レンズ鏡筒駆動検出手段でレンズ鏡筒駆動状態のいずれかを検出すると、前記タッチ操作検出閾値変更手段の検出閾値を上げることを特徴とする撮像装置。
【請求項９】
前記撮像装置において、前記タッチ操作検出感度変更手段の検出感度を上げてからの時間を計るタイマー手段を有し、前記タッチ操作検出感度変更手段で検出感度を上げた状態後、前記タイマー手段の計測結果が所定時間を経過し、前記タッチパネルへのタッチ操作が無い場合、前記タッチ操作検出感度変更手段の検出感度を下げることを特徴とする請求項１、請求項４、請求項７の何れか一項に記載の撮像装置。
【請求項１０】
前記撮像装置において、前記タッチ操作検出閾値変更手段の検出閾値を下げてからの時間を計るタイマー手段を有し、前記タッチ操作検出閾値変更手段の検出閾値を下げた状態後、前記タイマー手段の計測結果が所定時間を経過し、前記タッチパネルへのタッチ操作が無い場合、前記タッチ操作検出閾値変更手段の検出閾値を上げることを特徴とする特徴とする請求項２、請求項５、請求項８の何れか一項に記載の撮像装置。
【請求項１１】
表示領域上におけるタッチ位置座標を静電容量結合方式にて検出する静電容量タッチパネルを備える表示装置の入力制御方法において、三脚に設置されているかを検出する三脚設置検出手段と前記タッチパネルへのタッチ操作の検出の感度を変更するタッチ操作検出感度変更手段を有し、前記三脚設置検出手段で三脚設置を検出すると、前記タッチ操作検出感度変更手段の検出感度を上げることを特徴とする入力制御方法。
【請求項１２】
表示領域上におけるタッチ位置座標を静電容量結合方式にて検出する静電容量タッチパネルを備える表示装置の入力制御方法において、三脚に設置されているかを検出する三脚設置検出手段と前記タッチパネルへのタッチ操作の検出を行うタッチ操作検出手段と前記タッチ操作検出手段の検出閾値を変更するタッチ操作検出閾値変更手段を有し、前記三脚設置検出手段で三脚設置を検出すると、前記タッチ操作検出閾値変更手段の検出閾値を下げることを特徴とする入力制御方法。
【請求項１３】
表示領域上におけるタッチ位置座標を静電容量結合方式にて検出する静電容量タッチパネルを備える表示装置の入力制御方法において、本体を手持ちか否か検出する本体手持ち状態検出手段と前記タッチパネルへのタッチ操作の検出の感度を変更するタッチ操作検出感度変更手段を有し、前記体手持ち状態検出手段で本体を手持ち状態と検出すると、前記タッチ操作検出感度変更手段の検出感度を上げることを特徴とする入力制御方法。
【請求項１４】
表示領域上におけるタッチ位置座標を静電容量結合方式にて検出する静電容量タッチパネルを備える表示装置の入力制御方法において、本体を手持ちか否か検出する本体手持ち状態検出手段と前記タッチパネルへのタッチ操作の検出を行うタッチ操作検出手段と前記タッチ操作検出手段の検出閾値を変更するタッチ操作検出閾値変更手段を有し、前記体手持ち状態検出手段で本体を手持ち状態と検出すると、前記タッチ操作検出閾値変更手段の検出閾値を下げることを特徴とする入力制御方法。
【請求項１５】
表示領域上におけるタッチ位置座標を静電容量結合方式にて検出する静電容量タッチパネルを備える表示装置の入力制御方法において、外部機器接続を検出する外部機器接続検出手段と本体内に装着されたバッテリーに対して充電中かを検出するバッテリー充電検出手段とレンズ鏡筒を駆動中か否かを検出するレンズ鏡筒駆動検出手段と前記タッチパネルへのタッチ操作の検出の感度を変更するタッチ操作検出感度変更手段を有し、前記外部機器接続検出手段で外部機器接続を検出・前記バッテリー充電検出手段でバッテリー充電状態を検出・前記レンズ鏡筒駆動検出手段でレンズ鏡筒駆動状態のいずれかを検出すると、前記タッチ操作検出感度変更手段の検出感度を下げることを特徴とする入力制御方法。
【請求項１６】
表示領域上におけるタッチ位置座標を静電容量結合方式にて検出する静電容量タッチパネルを備える表示装置の入力制御方法において、外部機器接続を検出する外部機器接続検出手段と本体内に装着されたバッテリーに対して充電中かを検出するバッテリー充電検出手段とレンズ鏡筒を駆動中か否かを検出するレンズ鏡筒駆動検出手段と前記タッチパネルへのタッチ操作の検出を行うタッチ操作検出手段と前記タッチ操作検出手段の検出閾値を変更するタッチ操作検出閾値変更手段を有し、前記外部機器接続検出手段で外部機器接続を検出・前記バッテリー充電検出手段でバッテリー充電状態を検出・前記レンズ鏡筒駆動検出手段でレンズ鏡筒駆動状態のいずれかを検出すると、前記タッチ操作検出閾値変更手段の検出閾値を上げることを特徴とする入力制御方法。
【請求項１７】
表示装置の入力制御方法において、前記タッチ操作検出感度変更手段の検出感度を上げてからの時間を計るタイマー手段を有し、前記タッチ操作検出感度変更手段で検出感度を上げた状態後、前記タイマー手段の計測結果が所定時間を経過し、前記タッチパネルへのタッチ操作が無い場合、前記タッチ操作検出感度変更手段の検出感度を下げることを特徴とする請求項１１、請求項１３、請求項１５の何れか一項に記載の入力制御方法。
【請求項１８】
表示装置の入力制御方法において、前記タッチ操作検出閾値変更手段の検出閾値を下げてからの時間を計るタイマー手段を有し、前記タッチ操作検出閾値変更手段の検出閾値を下げた状態後、前記タイマー手段の計測結果が所定時間を経過し、前記タッチパネルへのタッチ操作が無い場合、前記タッチ操作検出閾値変更手段の検出閾値を上げることを特徴とする請求項１２、請求項１４、請求項１６の何れか一項に記載の入力制御方法。
【発明の詳細な説明】
【技術分野】
【０００１】
本発明は、タッチセンサを備えた撮像装置及び入力制御方法に関する。
【背景技術】
【０００２】
近年、携帯電話やＰＤ（Ａ）、カーナビゲーション機器などのタッチパネルを備えた情報端末装置が増えてきている。そこで、情報端末装置において使用者はタッチパネル上の操作パネルやアイコン上を触れる事によって機器を操作している。操作時に、非表示になっている操作パネルや画面を表示する手段として、タッチパネルをタッチする方法や別途設けられた専用ボタンを押すことで非表示状態を解除する方法が用いられている。
【０００３】
しかしながら、従来の技術においては、使用者は、タッチ操作をする際に必ず事前に一度タッチしたり専用ボタンを押したりして操作パネルを表示させなければならず、操作手順が多く煩雑であるという課題を有していた。
【０００４】
この課題に対して、操作する際に必ず触れるマウス部分にタッチセンサを新たに設けることで、本来の画面操作手順を変える事なく端末画面を表示させ、入力可能状態にするため、煩雑さを削減している。
【０００５】
しかしながら、新たにタッチセンサを設置する必要があり、部品点数が増えることで筐体の小型、薄型化が困難になるといった課題があった。
【０００６】
そのため、タッチセンサの感度を上げておき使用者が近づいたことを検出し、アプリケーションの状態に基づき感度を下げて操作させることで、小型／薄型化を実現しつつ操作性の向上を図っていた（特許文献１等参照）。
【先行技術文献】
【特許文献】
【０００７】
【特許文献１】特開２０１０−１２５７０１２号公報
【発明の概要】
【発明が解決しようとする課題】
【０００８】
しかしながら、上記の特許文献１に記載の発明では、タッチセンサの感度を上げておき使用者が近づいたことを検出し、アプリケーションの状態に基づき感度を下げているが、絶縁体上、例えばモールド材質でできている三脚上で装置の筐体を手で持たずにタッチパネルへのタッチ操作行うと、図６のように筺体を持っている場合に比べ筺体を持っていない場合、タッチパネルセンサ部と指とのインピーダンスが上がるので、検出出力が減り未検知の可能性がある。
【０００９】
また、本体と外部機器を接続した状態でタッチパネルをタッチ操作する場合では通常図７（ａ）のように非タッチ時とタッチ時に差があり検出可能だが外部機器接続状態では、外部機器からの電源ラインノイズ等がタッチパネル検出系に図７（ｂ）のようにノイズとして頂上され検出閾値を変更しないと誤検知の可能性が有る。
【００１０】
本発明は、上記の点に鑑みてなされたもので、タッチパネルの検出感度を装置状態に応じて可変することで、絶縁体上（三脚装着状態・非手持ち状態）で装置の筐体を手で持たずにタッチパネルをタッチ操作する場合の未検知や外部機器接続状態・本体バッテリー充電状態・レンズ鏡筒駆動状態でタッチパネルをタッチ操作する場合、誤動作を軽減する撮像装置を提供することを目的とする。
【課題を解決するための手段】
【００１１】
上記の目的を達成するために、本発明に係る撮像装置は、
表示領域上におけるタッチ位置座標を静電容量結合方式にて検出する静電容量タッチパネルを備える表示装置において、三脚に設置されているかを検出する三脚設置検出手段と前記タッチパネルへのタッチ操作の検出の感度を変更するタッチ操作検出感度変更手段を有し、前記三脚設置検出手段で三脚設置を検出すると、前記タッチ操作検出感度変更手段の検出感度を上げることを特徴とする。
【発明の効果】
【００１２】
本発明によれば、絶縁体と思われる上で装置の筐体を手で持たずにタッチパネルをタッチ操作する場合や外部機器接続状態でタッチパネルをタッチ操作する場合、タッチパネルの検出感度を装置状態に応じて可変することで、タッチパネルへのタッチ操作の未検知や誤動作を軽減する撮像装置を提供することができる。
【図面の簡単な説明】
【００１３】
【図１】本発明の実施形態に係わる構成概念図である。
【図２】本発明の実施形態に係わる撮像装置を表すブロック図である。
【図３】撮像装置の入力制御方法について示すフローチャートである。
【図４】他の撮像装置の入力制御方法について示すフローチャートである。
【図５】他の撮像装置の入力制御方法について示すフローチャートである。
【図６】絶縁体上で装置の筐体を手で持った場合と持たない場合でのタッチパネルへのタッチ操作検出波形である。
【図７】外部機器接続有無によるタッチパネルをタッチ操作の検出波形である。
【図８】タッチパネルをタッチ操作の検出閾値変更による感度変更を表す図である。
【図９】タッチパネルをタッチ操作検出の原理を表す図である。
【発明を実施するための形態】
【００１４】
以下、本発明の実施の形態について、図面を参照して説明する。
【００１５】
図１に、本実施例のデジタルカメラの概要構成図を示す。
【００１６】
図１において、１は、デジタルカメラ本体、２は、本体に電源を入れる電源ＳＷ、３は、レリーズスイッチである。４は、撮影及び再生画像・シャッター速度や絞り数値撮影枚数情報の表示及び、ＫＥＹ操作を行うタッチパネル付き液晶パネルである。５は、撮影・再生等のモードを切り替えるモードＳＷである。
【００１７】
図２は図１に示すデジタルカメラの制御部の構成を示すブロック図である。
【００１８】
図中、１１は、デジタルカメラ１を動作させる為、デジタルカメラ本体に電圧供給する電源供給部、１２は、デジタルカメラ全体を制御するためのＣＰＵ、１３は、画像を撮像する為のＣＣＤを含む撮像部、１４は、撮像した画像を処理する画像処理部、１５は、画像データを記憶する記憶部、１６は、撮影画像表示及びデジタルカメラ本体の状態を外部に知らせる為の液晶表示部、１７は、タッチパネルからの操作に応じて装置への操作を行うタッチパネル操作部、１８は、装置への操作を行う操作部である。
【００１９】
１９は、レンズ鏡筒の制御を行うレンズ鏡筒駆動制御部、２０は、鏡筒駆動制御部からの制御でレンズ鏡筒部を駆動するレンズ鏡筒駆動部、２１は、外部機器との接続を行うインターフェイス部、２２は、モニタ・プリンタなどの外部機器との接続を検出するインターフェイス検出部、２３は、ユーザが本体を三脚に装着されているか、または、手で持っているかを加速度センサやＩＳ機能といった振動を検出出来る手段を用いて振動の有無により検出する三脚装着または、手持ち検出部である。
【００２０】
なお、図２には図示されていないが、ＣＰＵ１２には、前記図１におけるデジタルカメラの撮影及び再生に必要な諸々の回路等がさらに接続されており、ＣＰＵ１２は、不図示のＲＯＭに格納された所定のプログラム動作制御を行う。
【実施例１】
【００２１】
以上の構成を有する撮像装置の入力制御方法について図３に示すフローチャートを参考に説明する。
【００２２】
ステップ１０１にて、加速度センサやＩＳ機能といった振動を検出出来る手段を用いて振動の有無により、三脚に装着されているかの判断を三脚装着または、手持ち検出部２３で行う。
【００２３】
ステップ１０１で、三脚装着または、手持ち検出部２３からの判断が、三脚に装着されていない判断すると、ステップ１０４へ進み、タッチパネル付き液晶パネル４へのタッチ操作検出感度設定が高感度に設定されている場合、本体を触れた状態で調整された値になるようにタッチパネルへのタッチ操作検出閾値を図８（ａ）のように下げタッチ操作検出感度設定を通常感度に変更する。本実施例での調整は、タッチパネル付き液晶パネル４の最少検出系（約２ｍｍ）で操作を行った物として調整を行う。
【００２４】
ステップ１０１で、三脚装着または、手持ち検出部２３からの判断が、三脚に装着されていると判断すると、ステップ１０２進み、タッチパネル付き液晶パネル４へのタッチ操作検出感度設定が通常感度に設定されている場合、絶縁体上に置いた状態で本体に触れずに調整された値にタッチパネルへのタッチ操作検出閾値を図８ｂのように上げタッチ操作検出感度設定を高感度に変更する。
【００２５】
次にステップ１０３に進み、タッチパネル付き液晶パネル４へのタッチ操作が所定時間内に有ったかＣＰＵ１２内に内蔵されているタイマーを用い確認を行い、所定時間内にタッチパネル付き液晶パネル４へのタッチ操作が有った場合、ステップ１０１に戻りステップ１０２・ステップ１０３を繰り返す。
【００２６】
ステップ１０３で、所定時間内にタッチパネル付き液晶パネル４へのタッチ操作が無かった場合、ステップ１０４へ進み、タッチパネル付き液晶パネル４へのタッチ操作検出感度設定が高感度に設定されている場合、本体を触れた状態で調整された値になるようにタッチパネルへのタッチ操作検出閾値を図８（ａ）のように下げタッチ操作検出感度設定を通常感度に変更し終了する。
【００２７】
尚、本実施例では、タッチパネルへのタッチ操作検出閾値を上げ下げすることで、検出感度を変更しているが、タッチパネル付き液晶パネル４へのタッチ操作検出感度を上げる場合、図９のＴＸ−ＲＸ間の寄生容量ＣＭに流す電流を増加し、指がタッチパネルにタッチした際の容量ＣＦＳの変化量が大きくするように、絶縁体上に置いた状態で本体に触れずに容量変化の振幅値を調整した値にすることで検出感度を上げても良い。本実施例のように、タッチパネル付き液晶パネル４へのタッチ操作検出感度設定を変更しないでタッチパネルへのタッチ操作検出閾値を検出感度が高い状態で固定にしてしまうと、タッチパネルへのタッチ操作検出の未検知は、防げるが検出感度が高いため誤検知してしまう可能性があるためである。
【実施例２】
【００２８】
図４は撮像装置における他の実施例の撮像装置の入力制御方法について示すフローチャートである。
【００２９】
ステップ２０１にて、加速度センサやＩＳ機能といった振動を検出出来る手段を用いて振動の有無により、三脚に装着されているかの判断を三脚装着または、手持ち検出部２３で行う。
【００３０】
ステップ２０１で、三脚装着または、手持ち検出部２３からの判断が、三脚に装着されていない判断すると、ステップ２０４へ進み、タッチパネル付き液晶パネル４へのタッチ操作検出感度設定が高感度に設定されている場合、本体を触れた状態で調整された値になるようにタッチパネルへのタッチ操作検出閾値を図８（ａ）のように下げタッチ操作検出感度設定を通常感度に変更する。
【００３１】
ステップ２０１で、三脚装着または、手持ち検出部２３からの判断が、三脚に装着されていると判断すると、ステップ２０２進み、タッチパネル付き液晶パネル４へのタッチ操作検出感度設定が通常感度に設定されている場合、絶縁体上に置いた状態で本体に触れずに調整された値にタッチパネルへのタッチ操作検出閾値を図８ｂのように上げタッチ操作検出感度設定を高感度に変更する。
【００３２】
次にステップ２０３に進み、タッチパネル付き液晶パネル４へのタッチ操作が所定時間内に有ったかＣＰＵ１２内に内蔵されているタイマーを用い確認を行い、所定時間内にタッチパネル付き液晶パネル４へのタッチ操作が有った場合、ステップ２０１に戻りステップ２０２・ステップ２０３を繰り返す。
【００３３】
ステップ２０３で、所定時間内にタッチパネル付き液晶パネル４へのタッチ操作が無かった場合、ステップ２０４へ進み、タッチパネル付き液晶パネル４へのタッチ操作検出感度設定が高感度に設定されている場合、本体を触れた状態で調整された値になるようにタッチパネルへのタッチ操作検出閾値を図８（ａ）のように下げタッチ操作検出感度設定を通常感度に変更し終了する。
【００３４】
尚、本実施例では、タッチパネルへのタッチ操作検出閾値を上げ下げすることで、検出感度を変更しているが、タッチパネル付き液晶パネル４へのタッチ操作検出感度を上げる場合、図９のＴＸ−ＲＸ間の寄生容量ＣＭに流す電流を増加し、指がタッチパネルにタッチした際の容量ＣＦＳの変化量が大きくするように、絶縁体上に置いた状態で本体に触れずに容量変化の振幅値を調整した値にすることで検出感度を上げても良い。
【実施例３】
【００３５】
図５は撮像装置における他の実施例の撮像装置の入力制御方法について示すフローチャートである。
【００３６】
ステップ３０１にて、レンズ鏡筒駆動制御部１９に対して駆動制御命令が出てレンズ鏡筒が駆動中か判断する。ステップ３０１でレンズ鏡筒を駆動中と判断すると、ステップ３０６へ進み、タッチパネル付き液晶パネル４へのタッチ操作検出感度設定が高感度に設定されている場合、タッチパネルへのタッチ操作検出閾値を図８（ａ）のように下げタッチ操作検出感度設定を通常感度に変更する。
【００３７】
ステップ３０１でレンズ鏡筒が停止中と判断すると、ステップ３０２に進み、電源部１１にて本体内バッテリーに対して充電中か判断を行う。
【００３８】
ステップ３０２で本体内バッテリーへ充電中と判断された場合、ステップ３０６へ進み、タッチパネル付き液晶パネル４へのタッチ操作検出感度設定が高感度に設定されている場合、本体を触れた状態で調整された値になるようにタッチパネルへのタッチ操作検出閾値を図８（ａ）のように下げタッチ操作検出感度設定を通常感度に変更する。
【００３９】
次に、ステップ３０２で、本体内バッテリーに対して充電中と判断すると、ステップ３０６へ進みタッチパネル付き液晶パネル４へのタッチ操作検出感度設定が高感度に設定されている場合、本体を触れた状態で調整された値になるようにタッチパネルへのタッチ操作検出閾値を図８（ａ）のように下げタッチ操作検出感度設定を通常感度に変更する。
【００４０】
次にステップ３０２で本体内バッテリーへ充電していないと判断すると、ステップ３０３に進み、モニタ・プリンタとの外部機器に接続されているかをモニタ・プリンタなどの外部機器との接続を検出するインターフェイス検出部２２での検出を判断する。
【００４１】
ステップ３０３で、モニタなどの外部機器と接続されていると判断すると、ステップ３０６へ進み、タッチパネル付き液晶パネル４へのタッチ操作検出感度設定が高感度に設定されている場合、本体を触れた状態で調整された値になるようにタッチパネルへのタッチ操作検出閾値を図８（ａ）のように下げタッチ操作検出感度設定を通常感度に変更する。
【００４２】
ステップ３０３でモニタなどの外部機器と接続されていないと判断すると、ステップ３０４に進み、タッチパネル付き液晶パネル４へのタッチ操作検出感度設定が通常感度に設定されている場合、絶縁体上に置いた状態で本体に触れずに調整された値にタッチパネルへのタッチ操作検出閾値を図８ｂのように上げタッチ操作検出感度設定を高感度に変更する。
【００４３】
次にステップ３０５に進み、タッチパネル付き液晶パネル４へのタッチ操作が所定時間内に有ったかＣＰＵ１２内に内蔵されているタイマーを用い確認を行い、所定時間内にタッチパネル付き液晶パネル４へのタッチ操作が有った場合、ステップ３０１に戻りステップ３０２・ステップ３０３・ステップ３０４を繰り返す。
【００４４】
ステップ３０５で、所定時間内にタッチパネル付き液晶パネル４へのタッチ操作が無かった場合、ステップ３０６へ進み、タッチパネル付き液晶パネル４へのタッチ操作検出感度設定が高感度に設定されている場合、本体を触れた状態で調整された値になるようにタッチパネルへのタッチ操作検出閾値を図８（ａ）のように下げタッチ操作検出感度設定を通常感度に変更し終了する。
【００４５】
尚、本実施例では、タッチパネルへのタッチ操作検出閾値を上げ下げすることで、検出感度を変更しているが、タッチパネル付き液晶パネル４へのタッチ操作検出感度を上げる場合、図９のＴＸ−ＲＸ間の寄生容量ＣＭに流す電流を増加し、指がタッチパネルにタッチした際の容量ＣＦＳの変化量が大きくするように、絶縁体上に置いた状態で本体に触れずに容量変化の振幅値を調整した値にすることで検出感度を上げても良い。
【００４６】
なお、上述の各種フローチャートに記載の制御は１つのハードウェアが行ってもよいし、複数のハードウェアが処理を分担することで、装置全体の制御を行ってもよい。
【００４７】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００４８】
また、上述した実施形態においては、本発明を撮像装置に適用した場合を例にして説明したが、これはこの例に限定されず、タッチパネルを備える電子機器であれば適用可能である。すなわち、本発明はパーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダーなどに適用可能である。
【００４９】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５０】
１  デジタルカメラ本体、２  電源ＳＷ、３  レリーズＳＷ、
４  タッチパネル付き液晶パネル、５  モードＳＷ、１１  電源供給部、１２  ＣＰＵ、
１３  撮像部、１４  画像処理部、１５  記憶部、１６  液晶ディスプレイ表示部、
１７  タッチパネル操作部、１８  操作部、１９  レンズ鏡筒駆動制御部、
２０  レンズ鏡筒駆動部、２１  外部インターフェイス部、
２２  外部インターフェイス検出部、２３  三脚装着または、手持ち検出部
【図１】
2017147480.tif 000003
【図２】
2017147480.tif 000004
【図３】
2017147480.tif 000005
【図４】
2017147480.tif 000006
【図５】
2017147480.tif 000007
【図６】
2017147480.tif 000008
【図７】
2017147480.tif 000009
【図８】
2017147480.tif 000010
【図９】
2017147480.tif 000011